(57)【要約】【課題】正しいアライメントで、歩行運動ができるようにする靴補正部品及び靴を提供すること。【解決手段】靴補正部品において、靴の中の足の踵部に沿うように弓状に開口された開口部を有し、縦断面が弓型又は三日月型をなし、凸曲面側が靴の内側方向の側壁部から底部にかけて貼りあわせられる側となるようにする。また、靴補正部品において、靴の中の足の踵部に沿うように弓状に開口された開口部を有し、開口部の周辺部を除く部分が、靴の内側方向の側壁部から底部の靴の中心線までの領域内に設けられる幅を有するようにする。【選択図】図２
2018202040.tif 000002
【特許請求の範囲】
【請求項１】
靴の中の足の踵部に沿うように弓状に開口された開口部を有し、縦断面が弓型又は三日月型をなし、凸曲面側が前記靴の内側方向の側壁部から底部にかけて貼りあわせられる側となる靴補正部品。
【請求項２】
靴の中の足の踵部に沿うように弓状に開口された開口部を有し、前記開口部の周辺部を除く部分が、前記靴の内側方向の側壁部から底部の前記靴の中心線までの領域内に設けられる幅を有する靴補正部品。
【請求項３】
最大長が、前記靴の中の前記足の踵部の端部から、前記足の第一中趾骨の骨頭までの長さである請求項１又は２に記載の靴補正部品。
【請求項４】
縦断面が弓型又は三日月型をなす請求項２又は３に記載の靴補正部品。
【請求項５】
請求項１から４のいずれか１項に記載の靴補正部品が装着された靴。
【請求項６】
前記靴補正部品の前記開口部の周辺部を除く部分が、前記靴の内側方向の側壁部から底部の前記靴の中心線までの領域内に設けられた請求項５に記載の靴。
【請求項７】
前記靴補正部品が前記靴の中の前記足の踵部の端部から、前記足の第一中趾骨の骨頭までの範囲内に設けられた請求項５又は６に記載の靴。
【請求項８】
請求項１又は３に記載の靴補正部品が装着され、曲面が前記靴の内側方向の側壁部及び前記底部に貼られている靴。
【請求項９】
前記靴補正部品が接着剤又は面ファスナーにより装着された請求項５から８のいずれか１項に記載の靴。
【請求項１０】
前記靴補正部品の中心線が前記靴の内側方向の側壁部と前記底部とが接する稜線に添うように、前記靴補正部品が貼られた請求項５から９のいずれか１項に記載の靴。
【発明の詳細な説明】
【技術分野】
【０００１】
本発明は、靴補正部品及び靴に関し、特にオーバープロネーションを抑制する靴補正部品及び靴に関する。
【背景技術】
【０００２】
人は、歩く時又は走る時に、踵から接地することから始まり、体の様々な機能を使う。その一連の機能の動きが正しいアライメント（一連系）でなされることで、健全な歩行運動ができる。
特許文献１は、足の底面を正しいアライメントで、歩行運動ができるように提案された足底板を開示している。
特許文献１では、足の踵骨部の外方に足の外側の形状に沿って三日月形の楔状の第１の足底板を配置するとともに、足の小趾球部の外方に足の外側の形状に沿って三日月形の楔状の第２の足底板を配置することが示されている。
【先行技術文献】
【特許文献】
【０００３】
【特許文献１】特開２００１−２７５７１６号公報（図２〜図４及び段落[０００９]
【発明の概要】
【発明が解決しようとする課題】
【０００４】
特許文献１に記載の発明は、履用者の靴と同じ傾斜面上に位置するフットプリンタ上で履用者の足の足底圧を調査することで、足底圧減弱部を見つけ、この足底圧減弱部を三日月形の楔状の第１及び第２の足底板で補強し、足底圧の平均的な分散を図るものである。
【０００５】
本発明の目的は、特許文献１に記載の発明と別な観点から、正しいアライメントで、歩行運動又は走行運動ができる靴補正部品を提供するものである。
【課題を解決するための手段】
【０００６】
（１）  本発明の靴補正部品は、靴の中の足の踵部に沿うように弓状に開口された開口部を有し、縦断面が弓型又は三日月型をなし、凸曲面側が前記靴の内側方向の側壁部から底部にかけて貼りあわせられる側となる靴補正部品である。
【０００７】
（２）  本発明の靴補正部品は、靴の中の足の踵部に沿うように弓状に開口された開口部を有し、前記開口部の周辺部を除く部分が、前記靴の内側方向の側壁部から底部の前記靴の中心線までの領域内に設けられる幅を有する靴補正部品である。
【０００８】
（３）  上記（１）又は（２）の靴補正部品において、最大長が、前記靴の中の前記足の踵部の端部から、前記足の第一中趾骨の骨頭までの長さであってもよい。
【０００９】
（４）  上記（２）又は（３）の靴補正部品において、縦断面が弓型又は三日月型であってもよい。
【００１０】
（５）  本発明の靴は、上記（１）から（４）のいずれかの靴補正部品が装着された靴である。
【００１１】
（６）  上記（５）の靴において、前記靴補正部品の前記開口部の周辺部を除く部分が、前記靴の内側方向の側壁部から底部の前記靴の中心線までの領域内に設けられてもよい。
【００１２】
（７）  上記（５）又は（６）の靴において、前記靴補正部品が前記靴の中の前記足の踵部の端部から、前記足の第一中趾骨の骨頭までの範囲内に設けられてもよい。
【００１３】
（８）  本発明の靴は、上記（１）又は（３）の靴補正部品が装着され、曲面が前記靴の内側方向の側壁部及び前記底部に貼られるようにしてもよい。
【００１４】
（９）  上記（５）から（８）のいずれかの靴において、前記靴補正部品が接着剤又は面ファスナーにより装着されてもよい。
【００１５】
（１０）  上記（５）から（９）のいずれかの靴において、前記靴補正部品の中心線が前記靴の内側方向の側壁部と前記底部とが接する稜線に添うように、前記靴補正部品が貼られるようにしてもよい。
【発明の効果】
【００１６】
本発明によれば、歩行運動又は走行運動等の荷重時の運動が正しいアレライメントでできるようにする靴補正部品及び靴を得ることができる。
【図面の簡単な説明】
【００１７】
【図１】非荷重時の靴と右足の動きと、荷重時にオーバープロネーションが生じたときの靴と右足の動きを示す説明図である。
【図２】本実施形態の靴補正部品及び靴補正部品を靴に装着することでオーバープロネーションを軽減する様子を示す説明図である。
【図３】本実施形態の靴補正部品を靴に装着する様子を示す図である。
【発明を実施するための形態】
【００１８】
以下、本発明の実施形態について図面を用いて詳細に説明する。
図１は非荷重時と、オーバープロネーションが生じた荷重時との靴と右足の動きを示す説明図である。図２は本実施形態の靴補正部品及び靴補正部品を靴に装着することでオーバープロネーションを軽減する様子を示す説明図である。図３は本実施形態の靴補正部品を靴に装着する様子を示す図である。なお、図１〜図３では右足に対応する靴及び靴補正部品について説明しているが、左足に対応する靴及び靴補正部品は、右足に対応する靴及び靴補正部品に対してほぼ線対称とするような形状であり、機能、作用、材質は右足に対応する靴及び靴補正部品と同じなので説明を省略する。
なお、非荷重時とは、足が地面から離れている状態をいい、荷重時とは、立位時や歩行時、走行時のように、接地している足に身体重量がかかり、地面からの反力を受けている状態をいう。
【００１９】
歩く時又は走る時に、一連の機能の動きが正しいアライメントで行われないと、足の痛み、腰痛、膝痛、シンスプリント、胼胝（たこ）、又はマメ等の症状が生ずる場合がある。このような症状を改善するために、歩行や走行による症状の大きな原因である過度なプロネーション（オーバープロネーション）を軽減することが求められる。プロネーションそのものは、足が床に着くときの床反力や衝撃吸収のクッションの役目をするが、オーバープロネーションが行われるとさまざまな障害を起こす原因になる。
【００２０】
図１の左側には、非荷重時の靴と右足の動きを示す断面図が示され、図１の右側には、オーバープロネーションが生じた荷重時の靴と右足の動きを示す断面図が示されている。図１の断面１−１’、断面２−２’、断面３−３’、断面４−４’は、図２の足の上面図の切断線１−１’、切断線２−２’、切断線３−３’、切断線４−４’の断面にそれぞれ対応している。
図１の左側に示す非荷重時では、靴２０の内側（図中左側）に示すように、足３０と靴２０の間に空間がある。図１の右側に示すオーバープロネーションが生じた荷重時では、非荷重時の足３０及び靴２０は、足３０ａ及び靴２０ａのように変形する。
【００２１】
本実施形態の靴補正部品は、オーバープロネーションを軽減し正しい足のアライメントを保持し前方へと推進させるようにしたものである。本実施形態の靴補正部品による正しい足のアライメントで歩行や走行することは足にかかる負担や特定部分のストレスを軽減する。
図２に示すように、本実施形態の靴補正部品１０は、足の踵部直下に対応する部分が開口部ＯＰにより円弧状に開口されている。オーバープロネーションは、図１の右側の断面図に示すように、歩行時又は走行時等の荷重時に足の関節が斜め方向に過度に動きすぎることで生ずる。靴の底面と接する足の踵部直下はオーバープロネーションが生じにくい点に着目し、本実施形態では、靴の中の足の踵部に沿うように弓状に開口されるように開口部ＯＰを設けている。開口部ＯＰは靴補正部品を靴に貼り合わせるときの位置合わせの基準となり、図３に示すように、開口部ＯＰが足の踵部に配置されるように靴補正部品１０を靴２０に貼り合わせる。
【００２２】
靴補正部品１０は、図２に示すように側面が弓型となっており、縦断面も弓型となっている。縦断面は三日月型となっていてもよい。靴補正部品１０の凸曲面側が靴２０の内側方向の側壁部から底部（底面）にかけて貼りあわせられる側となる。縦断面が弓型又は三日月型となるのは、図２の左側に示すように、靴補正部品１０を靴２０と足３０との間の空間に配置しやすい形状とするためである。
【００２３】
また、本実施形態の靴補正部品１０は、開口部ＯＰの周辺部を除く部分が、靴２０の内側方向の側壁部から底部の靴２０の中心線までの領域内に設けられる幅を有する。そして、靴補正部品１０の開口部ＯＰの周辺部を除く部分が、靴２０の内側方向の側壁部から底部の靴２０の中心線までの領域内に設けられる。このような領域に靴補正部品１０を配置することで、図１の右側に示すオーバープロネーションを効果的に抑制できる位置に靴補正部品１０を配置することができる。靴の中心線は靴の最大幅の中心と靴の踵部分の端部とを結ぶ線であり、図２では、靴の中心線は足の第２指の中心と足の踵部分の端部とを結ぶ線に対応している。
【００２４】
図１の左側に示す非荷重時では、靴２０の内側（図中左側）に示すように、足３０と靴２０の間に空間がある。図１の右側に示すオーバープロネーションが生じた荷重時では、非荷重時の足３０及び靴２０は、足３０ａ及び靴２０ａのように変形する。このとき、足にかかる力は図１右側に矢印で示すように、内側の斜め下方向である。よって、オーバープロネーションを抑制するには、靴の上方から見た中心線から外側には靴補正部品１０を配置せず、靴の中心線から内側に配置するようにすればよい。
本実施形態では、図２の左側に示すように、靴補正部品１０を靴の中心線から内側に配置することで、歩行時又は走行時等の荷重時のオーバープロネーションを抑制している。
【００２５】
靴補正部品１０の具体的な形状及び厚さは、歩行又は走行の荷重時と足底の関係だけを考慮するだけでなく、各人の体全体のバランスを考え、その人が履く靴との関係を考慮して決められる。足から体全体を補助するために患者の足の形状と歩行又は走行の荷重時の動作を鑑みて、患者の使用する靴に合わせて作成される。
【００２６】
靴補正部品１０の靴への設置は、靴内部に足の踵の端部（図２のＡ）から第一中趾骨の骨頭（図２のＢ）までの間で立体的な部品となる靴補正部品１０を付加して行われる。靴補正部品１０の最大長は、靴２０の中の足の踵部の端部（図２のＡ）から、足の第一中趾骨の骨頭（図２のＢ）までの長さである。当然、左足、右足の大きさ、形状の違いや履く靴の形状に合わせて作成され、取り付けられる。また、歩行動作の荷重時の改善に合わせて都度、調整して制作設置されることとなる。これにより、足整効果が向上し、歩行のアライメントがこれまで以上に安定する。成長期の子供の足の正常な発達や成年、壮年期の靴によるトラブルの解消、スポーツ時の運動能力向上、そして、高齢者の足首、膝や股関節などの歩行障害の改善にも効果を発揮できる。
【００２７】
靴補正部品１０の材料は、発泡プラスチックを用いることができ、特に、荷重時となる歩行による足での圧縮で、ある程度は変形するが、靴内部の温度変化により硬化し、長期に使用しても一定の形状を保てるものが望ましい。一例として、ポリオレフィン系発泡プラスチック、発泡ポリウレタン、及びＥＶＡスポンジが挙げられる。
【００２８】
靴補正部品１０は次のようにして作製され、靴に装着される。
靴補正部品１０の基本形状は足サイズ分類と靴の形状タイプで複数種類用意する。靴補正部品１０の基本形状は図２に示すA_B値、幅Ｗ１＋Ｗ２の値、厚さｔによって複数用意される。幅Ｗ１は靴底幅の１／２、幅Ｗ２は基本的には幅Ｗ１と同等であるが、靴内側面の高さ（靴内の底面からの高さ）によって調整する。ここで、図２のＡは足の踵の端部の位置と靴補正部品１０の踵側の端部の位置、Ｂは足の第一中趾骨の骨頭の位置と靴補正部品１０の踵側と反対側の端部の位置、Ｃは舟状骨の下端ｃの位置と靴補正部品１０の位置Ｃｃ、Ｄは楔状骨の下端ｄの位置と靴補正部品１０の位置Ｄｄ、Ｅは踵骨の先端の下端ｅの位置と靴補正部品１０の位置Ｅｅ、及びＦは第一中趾骨の中央での下端ｆの位置と靴補正部品１０の位置Ｆｆを示している。
【００２９】
次に、施術、処方者は患者の足を計測し、図２に示す各長さである、A_B値、A_C値、A_D値、A_E値を得る。次に、歩行による荷重時のオーバープロネーションの状況や使用する靴の形状から靴補正部品１０の厚みｔ、幅Ｗ２を選定する。
これらのデータから、処方を作成して、用意された複数の靴補正部品１０の基本形状から靴補正部品１０の基本形状を選定する。選定された靴補正部品１０の基本形状から切削して、患者に適合した靴補正部品１０を作成する。
完成した個人に特定した靴補正部品１０の曲面（裏面）側に接着剤を塗布するか、面ファスナーを張る。
【００３０】
靴補正部品１０は曲面（裏面）側を靴内壁に沿わせて張り付ける。踵部の形状を基準として合わせ、靴の内壁に沿って靴補正部品１０の中心線が側壁面との底面の接する稜線に添うよう靴補正部品１０を靴に貼る。こうすることで、靴の形状と足との間を埋め、足整効果が発揮される。靴補正部品１０を設置した靴は数か月使用することで足になじみ、歩行アライメントが安定する。
【００３１】
面ファスナー等で着脱可能な状態で張り付けた靴補正部品１０は形状が安定した時点で、同種の別の靴に面ファスナーなどを接して、取り付けることも可能となる。靴補正部品１０は、個人の足と靴を特定して、処方され、特定の靴内部に制作設置される。しかし、面ファスナー等を利用して、靴の内足側面と足底面に張り付けることで、靴補正部品１０の形状が足と靴になじむ一定の期間を経たのちには同種の別の靴へ同じ貼り付け方により、使いまわすことができる。
【００３２】
一般的で別機能の平面な中敷き（インソール）と靴補正部品１０とを組み合わせて、靴を取り換えたときに入れ替えられるタイプを作ることも可能となる。
以上説明した本実施形態の靴補正部品１０によれば、荷重時となる歩行の動きに伴う足の内側部や足底面へ影響のある動きに適格に対応でき、既成靴の構造や患者それぞれの個別な足の形状、運動機能の違いにも対応できる。
【００３３】
以上、本発明の代表的な各実施形態について説明したが、本発明は、本願の請求の範囲によって規定される、その精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書や要約書の記載には拘束されない。さらに、特許請求の範囲の均等範囲に属する変形や変更はすべて本発明の範囲内のものである。
【符号の説明】
【００３４】
１０  靴補正部品
２０  靴
３０  足
【図１】
2018202040.tif 000003
【図２】
2018202040.tif 000004
【図３】
2018202040.tif 000005